(57)【要約】【課題】  記録ヘッドの回復動作を行う吸引ポンプを持つインクジェット記録装置において、吸引ポンプおよびその駆動手段の設置スペースを削減した小型化構成を提供する。【解決手段】  記録媒体を搬送する紙送りローラは、片側端部が中空になるように形成される。中空部には吸引ポンプの一部が設置されるとともに、円周面に吸引ポンプの駆動軸外周面に形成されたリードスクリューの溝部に係合するピンが圧入される。【選択図】        図１
2006205649.tif 000002
【特許請求の範囲】
【請求項１】
記録ヘッドと、記録媒体を搬送する紙送りローラと、記録ヘッドの回復を行う吸引ポンプとを備えるインクジェット記録装置において、前記紙送りローラは吸引ポンプの設置スペースを有すると同時に、吸引ポンプ駆動手段を有することを特徴とするインクジェット記録装置。
【請求項２】
前記紙送りローラの吸引ポンプの設置スペースは、紙送りローラの片側端部もしくは紙送りローラ全域を中空にすることで形成することを特徴とする請求項１に記載のインクジェット記録装置。
【請求項３】
前記吸引ポンプは、円筒形状のシリンダ、シリンダ内周部でシリンダと密着するゴム等の弾性部材からなるピストン、ピストンをシリンダ内で往復動作させるピストン軸を有するピストンポンプであることを特徴とする請求項１に記載のインクジェット記録装置。
【請求項４】
前記紙送りローラの中空部の内壁で吸引ポンプのシリンダ内周部を構成したことを特徴とする請求項１に記載のインクジェット記録装置。
【請求項５】
前記吸引ポンプのピストン軸の外周面は、リードスクリューの溝を有することを特徴とする請求項３に記載のインクジェット記録装置。
【請求項６】
前記吸引ポンプ駆動手段は、紙送りローラに取り付けられ、前記ピストンポンプのピストン軸外周面のリードスクリュー溝部に係合するガイド部材であることを特徴とする請求項１に記載のインクジェット記録装置。
【発明の詳細な説明】
【技術分野】
【０００１】
本発明は、記録用のインクを記録ヘッドから吐出させて記録を行うインクジェット記録装置の小型化に関するものである。
【背景技術】
【０００２】
インクジェット記録装置は記録ヘッドからインクを記録媒体に吐出することにより記録を行う。記録ヘッドにはインクが吐出される複数個の微細な吐出口が形成されている。ここで、記録ヘッドの吐出口面にインクが乾燥して増粘・固着したり、紙粉やほこりなどの異物が付着したり、さらには記録ヘッドのノズル内に気泡が侵入したりすると、インクの吐出が不安定になるばかりか、吐出不良が発生する恐れがある。
【０００３】
このため、インクジェット記録装置では、インクの増粘や固着または記録ヘッドのノズル内に生じた気泡によって発生する目詰まりを回復することを目的として、吸引ポンプによりノズル内のインクを強制的に排出させる吸引回復動作を行っている。ゆえに、記録装置内に吸引ポンプの設置スペースおよび駆動構成が必要となる。
【０００４】
吸引ポンプの設置スペースを削減する従来例としては、特許文献１がある。特許文献１では、記録装置の小型化のために廃インク吸収部材を紙送りローラ等の搬送手段の内部に設けることで、廃インク吸収部材と吸引ポンプを直結させるために吸引ポンプ部の端部を搬送手段内に入れることで吸引ポンプのスペースを削減している。
【特許文献１】特許第２７９２６５９号公報
【発明の開示】
【発明が解決しようとする課題】
【０００５】
しかしながら、特許文献１では吸引ポンプの端部は紙送りローラ等の搬送手段内に入れているが、吸引ポンプ駆動手段は別途存在している。
【０００６】
本発明は、紙送りローラ内に吸引ポンプを入れるスペースを設けるとともに、紙送りローラに吸引ポンプを駆動する駆動手段を持たせることで、インクジェット記録装置の小型構成の提供を目的とするものである。
【課題を解決するための手段】
【０００７】
本発明は上記目的を達成するために、記録ヘッドと、記録媒体を搬送する紙送りローラと、記録ヘッドの回復を行う吸引ポンプとを備えるインクジェット記録装置において、前記紙送りローラに吸引ポンプの設置スペースを持たせると同時に、吸引ポンプ駆動手段を持たせる。
【０００８】
ここで、前記紙送りローラの吸引ポンプの設置スペースは、紙送りローラの片側端部もしくは紙送りローラ全域を中空にすることで形成する。
【０００９】
また、前記吸引ポンプは、円筒形状のシリンダ、シリンダ内周部でシリンダと密着するゴム等の弾性部材からなるピストン、ピストンをシリンダ内で往復動作させるピストン軸を有するピストンポンプである。
【００１０】
また、前記紙送りローラの中空部の内壁が吸引ポンプのシリンダであっても良い。
【００１１】
また、前記吸引ポンプのピストン軸の外周面は、リードスクリューの溝を有する。
【００１２】
また、前記吸引ポンプ駆動手段は、紙送りローラに取り付けられ、前記ピストンポンプのピストン軸外周面のリードスクリュー溝部に係合するガイド部材である。
【発明の効果】
【００１３】
本発明によれば、吸引ポンプおよびそれを駆動する駆動手段のスペースを削減でき、小型のインクジェット記録装置の構成を提供することができる。
【発明を実施するための最良の形態】
【００１４】
以下に、本発明の実施の形態を複数の実施例に基づき図面を参照して説明する。
【実施例１】
【００１５】
図１は本発明によるインクジェット記録装置の概略図を表している。
【００１６】
本実施例のインクジェット記録装置は、記録紙（不図示）を印字位置まで給紙する給紙部１００、記録紙を所望の記録位置へと導くと共に記録紙を記録位置から排出する搬送部２００と、搬送部２００の下流に位置する排出部３００と、搬送部２００に搬送された記録紙に所望の記録を行う記録部４００と、記録部４００等に対する回復処理を行う回復部６００とから構成され、各機構部はシャーシ７０１を中心としてほぼ一体に構成されている。
【００１７】
図２は紙送り部と吸引ポンプ部の全体配置図、図３はＬＦローラ２０１と吸引ポンプ６４０の断面斜視図である。
【００１８】
記録紙を搬送するＬＦローラ２０１は、シャーシ７０１によってＬＦ軸受２０４を介して回動自在に支持されており、その一端部には、ＬＦギア２０５が装着されている。ＬＦギア２０５は、ＬＦモータ（不図示）の駆動軸に設けられた駆動ギアと連動しており、モータの駆動力によって回転するようになっている。
【００１９】
吸引ポンプ６４０は円筒形のシリンダ６２４をピストン軸６２６に取り付けられたピストン６２５が移動する事で圧力を発生させるピストンポンプである。ピストン軸６２６には、ゴム等の弾性部材からなるピストン６２５が取り付けられている。ピストン６２５の外径は対応するシリンダ６２４の内径に摺接移動可能であるとともに、ピストン６２５の内径はピストン軸６２６の軸外径部に対して所定量の間隙を生じる大きさで遊嵌されている。
【００２０】
また、ピストン軸６２６はシリンダ６２４内部に配設・固定されたゴム部材であるシリンダシール６２３とピストン軸６２６の外径が摺接しながら移動するようになっている。シリンダシール６２３はシリンダ６２４から外れないようにストッパー６２２により押さえられ、ストッパー６２２はシリンダ６２４と結合される。ピストン軸６２６の外周部にはピストン軸６２６が軸方向に往復運動するようにリードスクリュー溝６２６ａが形成されている。
【００２１】
シリンダ６２４にはインクを記録ヘッドから吸引するための吸引口６２４ａとポンプ内からインクを排出するための排出口（不図示）が設けられている。吸引口６２４ａはチューブ（不図示）を介して記録ヘッドの吐出口面を密閉するキャップ６０１に連結され、排出口（不図示）は廃インク吸収部に近接される。
【００２２】
ＬＦローラ２０１は端部２０１ａに中空部２０１ｂが形成されている。ピストンポンプ６４０は中空部２０１ｂにピストン軸６２６が挿入するように設置される。また、ＬＦローラ２０１の中空部２０１ｂの円周面には横穴２０１ｃが空けられており、そこにピストンポンプ６４０のピストン軸６２６の外周部に形成されたリードスクリュー溝６２６ａと係合するガイド部材２０６が圧入されている。
【００２３】
ＬＦローラ２０１が回転すると、ＬＦローラ２０１の中空部２０１ｂの円周面に取り付けられたピストン軸６２６のリードスクリュー溝６２６ａと係合するガイド部材２０６も回転する。ピストン軸６２に形成されたリードスクリュー溝６２６ａに嵌合するガイド部材２０６が、ピストン軸６２６を矢印Ａ−Ｂ方向に往復移動させることで、吸引動作を行う。
【実施例２】
【００２４】
図４は本発明の第２の実施例における紙送りローラと吸引ポンプの配置の概略を示す。
【００２５】
実施例１、２においては、印字中の記録紙搬送時においても吸引ポンプが常に動作している。本実施例は、ＬＦローラ２０１の端部にクラッチバネ２０７を持ち、ピストン軸６２６のリードスクリュー溝６２６ａと係合するガイド部材２０６はＬＦローラ２０１に嵌合される。ＬＦローラ２０１が記録紙を搬送する方向（図のｂ方向）に回転するときにはクラッチバネ２０７はすべりガイド部材２０６は回転せず、吸引ポンプ６４０は動作しない。ＬＦローラ２０１が記録紙の搬送方向とは反対の方向（図のａ方向）に回転する時にはクラッチバネ２０７は締まり、ガイド部材２０６が回転し吸引ポンプに駆動が伝わる構成にしたものである。
【００２６】
実施例１おいては、紙送りローラの吸引ポンプを配置する側の端部のみを中空にしたが、ローラ全域を中空にしても良い。
【実施例３】
【００２７】
実施例１おいては、紙送りローラの吸引ポンプを配置する側の端部のみを中空にしたが、ローラ全域を中空にしても良い。
【実施例４】
【００２８】
実施例１〜３おいては、独立した吸引ポンプを紙送りローラの中空部に配置する構成であったが、吸引ポンプのシリンダを紙送りローラと一体化して、紙送りローラ中空部の内壁でシリンダの内周部を構成しても良い。
【図面の簡単な説明】
【００２９】
【図１】本発明によるインクジェット記録装置の斜視図
【図２】本発明によるＬＦローラとピストンポンプの概略配置図
【図３】本発明による第１実施例のＬＦローラとピストンポンプの断面斜視図
【図４】本発明による第３実施例のＬＦローラとピストンポンプの断面斜視図
【符号の説明】
【００３０】
１００    自動給紙部
２００    搬送部
２０１    ＬＦローラ
２０１ａ  ローラ端部
２０１ｂ  中空部
２０１ｃ  横穴
２０４    ＬＦ軸受
２０５    ＬＦギア
２０６    ガイド部材
２０７    クラッチバネ
３００    排出部
４００    記録部
６００    回復部
６０１    キャップ
６２２    ストッパー
６２３    シリンダシール
６２４    シリンダ
６２４ａ  吸引口
６２５    ピストン
６２６    ピストン軸
６２６ａ  リードスクリュー溝
７０１    シャーシ
【図１】
2006205649.tif 000003
【図２】
2006205649.tif 000004
【図３】
2006205649.tif 000005
【図４】
2006205649.tif 000006